(57)【特許請求の範囲】
【請求項１】
装置本体に対して一側縁部が回動可能に取り付けられ、その回動側縁部に対向する開放側縁部が持ち上げられて回動される原稿圧板と、
前記原稿圧板の内面側に貼着され、当該原稿圧板が閉じられたときに原稿載置面上に載置された原稿に接触して押圧する圧接シート部材と、
を備えた画像読取装置の原稿押え手段において、
前記圧接シート部材が前記原稿圧板に貼着された接着領域は、前記開放側縁部を一辺として平面略コの字状をなすように延出し、前記回動側縁部に向かって開放された形状をなすように形成されていることを特徴とする画像読取装置の原稿押え手段。
【請求項２】
前記接着領域が、平面略コの字状に連続する面状領域からなることを特徴とする請求項１記載の画像読取装置の原稿押え手段。
【請求項３】
前記接着領域が、平面略コの字状に沿って複数箇所に分散された点状領域からなることを特徴とする請求項１記載の画像読取装置の原稿押え手段。
【発明の詳細な説明】
【技術分野】
【０００１】
本発明は、複写機やイメージスキャナー等において用いられる画像読取装置の原稿押え手段に関する。
【背景技術】
【０００２】
各種の画像形成装置等において、原稿の内容を読み取るための画像読取装置が広く用いられている。一般の画像読取装置では、例えば図９に示されているように、装置本体１に対して、原稿押え手段２の原稿圧板２ａが片持ち状に持ち上げられるように開閉回動可能に取り付けられており、その原稿圧板２ａの手前側の一側縁部を持ち上げるようにして前記原稿押え手段２の全体が開放状態とされる構成になされている。
【０００３】
原稿押え手段２の原稿圧板２ａが開放状態になされることにより露出されたコンタクトガラス（原稿載置ガラス）３の上面側には、読み取られるべき原稿Ｐが載置され、その原稿Ｐの上方側を覆うようにして前記原稿押え手段２の原稿圧板２ａが再度閉じられる。その原稿圧板２ａの内面側（裏面側）には圧接シート部材２ｂが貼着されており、当該圧接シート部材２ｂが前記原稿Ｐに上方側から接触することによって、コンタクトガラス３上に原稿Ｐが密着されるようになっている。
【０００４】
このようにしてセットされた原稿Ｐは、図１０に示されているように、上述したコンタクトガラス３の下方領域に配置されたランプ等の光源４により線状に照射され、その反射光がミラー５およびレンズ６を経て光電変換素子７に結像されるようになっている。これらの光源４、ミラー５、レンズ６および光電変換素子７は一体にユニット化されており、そのユニット部分が、上記原稿Ｐに対して相対的に移動されることによって画像の読取りが行われる。
【０００５】
ここで、上述した原稿押え手段２を構成している原稿圧板２ａは、一般的には硬質の樹脂材等からなる構造体になされているが、その原稿圧板２ａに貼着された圧接シート部材２ｂとしてはシート状の樹脂材などが用いられており、スポンジ等の発泡体などからなる弾性部材２ｃを介して原稿圧板２ａに接着されている。これら原稿圧板２ａ、弾性部材２ｃおよび圧接シート部材２ｂは、互いに両面粘着テープ等を介して貼り合わせられており、まず弾性部材２ｃの片面側に圧接シート部材２ｂが貼着された後に、その圧板シート部材２ｂと一体となった弾性部材２ｃを原稿圧板２ａの内面側（裏面側）に貼着して原稿押え手段２としている。
【０００６】
【特許文献１】特開２００１−９２０４４号公報
【発明の開示】
【発明が解決しようとする課題】
【０００７】
ところが、このような構成を有する原稿押え手段２においては、特にコンタクトガラス３上に原稿Ｐが載置されていない場合や原稿Ｐが著しく小さい場合に、コンタクトガラス３に対して圧接シート部材２ｂが隙間なく密着するため、原稿押え手段２を素早く開けようとすると、コンタクトガラス３に対して圧接シート部材２ｂが吸盤のように吸着してしまい、原稿押え手段２全体の操作性を悪化させることがある。吸着状態の原稿押え手段２を無理に開けようとすると、圧接シート部材２ｂまたは弾性部材２ｃを固定している両面貼着テープが剥離してしまうなどの問題を生じることもある。
【０００８】
そこで従来では、上述したような開放操作時における吸着現象を抑えるために、例えば図１１または図１２に示されているように、圧接シート部材２ｂの互いに対向する一対の縁部を接着領域Ｓ１，Ｓ１として粘着両面テープを配置したものが知られている。このような構成としておけば、原稿押え手段２の原稿圧板２ａが、粘着両面テープを配置した接着領域Ｓ１，Ｓ１から徐々にを持ち上げられていき、原稿押え手段２の全体がＵ字状に撓みながら円滑に持ち上がることとなる。
【０００９】
しかしながら、このような構造の原稿押え手段２においては、粘着両面テープを配置した接着領域Ｓ１，Ｓ１の面積、つまり圧接シート部材２ｂおよび弾性部材２ｃの接着面積が不足する傾向があり、圧接シート部材２ｂおよび弾性部材２ｃに剥がれを生じ易く、圧接シート部材２ｂおよび弾性部材２ｃが垂れ下がって外観品位を低下させてしまうことがある。
【００１０】
これに対して、図１３に示されているように、圧接シート部材２ｂおよび弾性部材２ｃの全域を接着領域Ｓ２として固着を行うことも考えられるが、その場合には、例えば図１４および図１５にも示されているような突起８を圧接シート部材２ｂの一部に設けることによって、コンタクトガラス３との間に空気抜き通路９を形成しておく必要がある。しかしながら、そのような空気抜き通路９が形成されていると、コンタクトガラス３上の原稿に対する押圧力が低下することとなり、例えば原稿にカールやしわ等が存在していると、図１６に示されているように上述した突起８の高さ分だけの隙間、つまり浮き現象が発生しやすくなり、原稿Ｐをコンタクトガラス３の上面に密着させることができなくなってしまうおそれがある。
【００１１】
原稿Ｐに浮き現象が発生すると、読取画像のピンぼけや、原稿の反射角度の変化による濃度ムラといった画像劣化を引き起こすこともあり、特に密着型のイメージセンサを使用する場合には、そのような読取りの問題が顕著に現われることとなる。
【００１２】
そこで本発明は、上記問題に鑑みてなされたもので、圧接シート部材の剥がれ落ちを防止しつつ、常に原稿の全面を原稿載置面に密着させることができ、最適の読取画像を得ることができるようにした画像読取装置の原稿押え手段を提供することを目的としている。
【課題を解決するための手段】
【００１３】
上記目的を達成するため本発明にかかる画像読取装置の原稿押え手段では、装置本体に対して一側縁部が回動可能に取り付けられ、その回動側縁部に対向する開放側縁部が持ち上げられて回動される原稿圧板と、前記原稿圧板の内面側に貼着され、当該原稿圧板が閉じられたときに原稿載置面上に載置された原稿に接触して押圧する圧接シート部材とを備えた画像読取装置の原稿押え手段において、前記圧接シート部材が前記原稿圧板に貼着された接着領域は、前記開放側縁部を一辺として平面略コの字状をなすように延出し、前記回動側縁部に向かって開放された形状をなすように形成されている。
【００１４】
このような構成を有する本発明によれば、原稿圧板の外周側において平面略コの字状をなす比較的広い面積の接着領域を介して圧接シート部材が比較的強固に固定される。また、原稿押え手段を開放させるように持ち上げた際には、圧接シート部材の外周側における平面略コの字状の接着領域で固着された部位が最初に持ち上げられていき、原稿押え手段の回転支点側から中央領域にかけての領域には急激な持ち上げ力が働かなくなる。そして、平面略コの字状をなす外周領域から中央領域に向かって圧接シート部材が原稿載置面から順次引き剥がされていき、そこに空気が円滑に入っていくことから、従来のような突起を設けなくても原稿押え手段の全体は良好に持ち上げられる。
【発明の効果】
【００１５】
以上述べたように本発明にかかる画像読取装置の原稿押え手段は、原稿圧板における開放側縁部を一辺として回動側縁部に開放される平面略コの字状をなす接着領域で圧接シート部材の貼着を行うことによって、比較的広い面積の外周領域において圧接シート部材を強固に固定するとともに、原稿押え手段を開放させたときには、圧接シート部材を、上述した平面略コの字状をなす外周側の接着領域から中央領域に向かって順次引き剥がすようにして空気を流入させて原稿押え手段の全体を円滑に持ち上げていくように構成したものであるから、圧接シート部材部材を強固に固定しつつ、常に原稿の全面を原稿載置面に密着させることができ、最適な画像読取状態を長期にわたって安定的に得ることができる。
【発明を実施するための最良の形態】
【００１６】
以下、複合型複写機の画像読取装置に対して本発明を適用した実施形態を図面に基づいて詳細に説明するが、まず図１および図２に示されているように、画像形成装置としての複合型複写機の全体構造を説明しておく。
【００１７】
図１において、装置本体１０の上端位置には、原稿を読み取る画像読取装置としてのスキャナユニット１１が配置されている。このスキャナユニット１１の構成は、基本的には前述した従来構成と同様であるが、当該スキャナユニット１１に設けられた原稿押え手段の構造については本願発明の要部であるので後段において詳述する。
【００１８】
前記装置本体１０の正面側方に配置されたマルチ手差しユニット１２は、必要に応じて開放するように傾倒させることによって紙等のシート状記録媒体をセットすることができる構成になされている。また、図１中の符号１３はコピー操作パネル装置を示しており、プリント動作に必要な種々の操作を行う構成になされているとともに、そのコピー操作パネル装置１３と隣接するようにしてファクシミリ操作パネル装置１４が配置されている。
【００１９】
給紙カセット１５は、装置本体１０の下部側に着脱可能に配置されており、上述した手差しユニット１２と同じく紙等の記録媒体を積層状にセットすることができる構成になされていて、これらの給紙カセット１５または手差しユニット１２から送り出された記録媒体上には、公知の電子写真技術に基づいてトナー像が形成されて熱定着され、プリント出力されるようになっている。
【００２０】
すなわち、特に図２に示されているように、プロセスユニットＰＵ内に回転自在に支持された像担持体としての感光ドラム２０は、メインモータ２１によって矢印Ａ方向に適宜のプロセススピードで回転駆動されるように構成されており、その感光ドラム２０の周囲には、前記回転方向に沿って、当該感光ドラム２０の表面を均一に帯電させる帯電装置としての帯電ローラ２２、静電潜像を形成するための露光手段であるレーザースキャナ２３、静電潜像を現像して顕像化するための現像装置２４、前記感光ドラム２０上のトナー画像を記録媒体側に転写するための転写装置を構成する転写ローラ２５等が順に配設されている。
【００２１】
また、プロセスユニットＰＵから略水平に延出する搬送ガイド２６は、トナー像を転写された記録媒体を加熱・加圧する定着装置２７に連結されている。さらに、図示は省略したが前記装置本体１０の背面側には、各種の画像形成動作を制御するＣＰＵ等を内蔵した制御基板が配置されている。
【００２２】
そして、上述したメインモータ２１によって矢印Ａ方向に回転駆動される感光ドラム２０の外周表面が、前記帯電ローラ２２によって所定の極性および電位に一様に帯電されると、その帯電後の感光ドラム２０の外周表面に対して露光手段であるレーザースキャナ２３により画像情報に基づいた画像露光がなされ、露光部分の電荷が除去されて静電潜像が形成される。その感光ドラム２０上の静電潜像は、現像装置２４内に設けられた現像スリーブ２４ｂに印加される所定の現像バイアスに基づいて付着されるトナーにより顕像化され、トナー像の形成が行われる。
【００２３】
一方、紙等からなるシート状の記録媒体Ｐは、例えば上述した給紙カセット１５内から図示しない給紙ローラや搬送ローラによって搬送され、前記感光ドラム２０と転写ローラ２５との間の転写ニップ部に搬送されて記録媒体側にトナー像が転写される。転写によって表面に未定着トナー像を担持した記録媒体Ｐは、搬送ガイド２６に沿って定着装置２７に搬送され、そこで未定着トナー像が加熱・加圧されることによりトナーが溶融することで記録媒体表面にトナー像が定着される。以上の動作を繰り返すことで、次々と画像形成が実行されることとなる。
【００２４】
このような構成を有する複写機の装置本体１０の上部側には、上述したように画像読取装置としてのスキャナユニット１１が配置されている。このスキャナユニット１１の基本的な構造は、従来技術として説明した図１０および図１１に示されたものと同様であって、図３および図４に示された本発明の第１の実施形態における原稿押え手段３０においても、原稿圧板３１が比較的硬質の樹脂材から形成されているとともに、当該原稿圧板３１の奥側（図示の左端側）の縁部に設けられた回動支軸３２が、装置本体１０側に設けられた軸受部１０ａ内に回転自在に嵌合されている。これによって、前記原稿押え手段３０の全体は、装置本体１０に対して片持ち状をなすように回動可能になされ、原稿圧板３１の手前側（図示の右端側）の一側縁部が把持されて図示左回転方向に持ち上げられることによって、前記原稿押え手段３０の全体が開放状態になされる。
【００２５】
前記原稿圧板３１は、複数の格子状リブ３１ａを交差状に配置した構造になされているが、その格子状リブ３１ａにより構成された当該原稿圧板３１の内面側（裏面側）は、コンタクトガラス（原稿ガラス）３の上面に対して略平行をなすように延在する構成になされており、その原稿圧板３１の内面側（裏面側）に対して、圧接シート部材３３が貼着されている。この圧接シート部材３３は、特に図５に示されているように、十分な平面性と剛性を備えた樹脂シート材３３ａと、モルトプレン等の弾性部材３３ｂとが、両面貼着テープ材などの接着剤によって互いに固着された構成になされたものであり、当該圧接シート部材３３を構成している弾性部材３３ｂが、上述した原稿圧板３１の内面側（裏面側）に対して１５〜２５ｍｍ幅の両面貼着テープ材等の接着剤を用いて貼着されている。
【００２６】
ここで、上述した原稿圧板３１に対する圧接シート部材３３の接着領域は、特に図３中のハッチング領域Ｔ１で示されているように、平面略コの字状をなすように連続するリブから形成されている。この圧接シート部材３３の接着領域Ｔ１は、上述した原稿圧板３１における開放側の縁部（図３の右端側縁部）を一辺としてその両端側から略直角に折れ曲がるように延出した面状領域からなるものであって、前記回動支軸３２の縁部（図３の左端側縁部）に向かって開放された形状になされている。
【００２７】
このような原稿押え手段３０を用いてコンタクトガラス３上に載置された原稿Ｐの画像を読み取るにあたっては、その原稿Ｐに、例えば図１７のようなカールや皺が発生している場合であっても、原稿押え手段３０の原稿圧板３１を閉じることによって、上述したように原稿圧板３１に貼着された圧接シート部材３３が原稿Ｐをコンタクトガラス３に密着させることとなる。
【００２８】
このとき、原稿圧板３１の中央領域は、原稿Ｐからの反力によってコンタクトガラス３から離間する方向に逃げようとするため、当該原稿Ｐに対する押圧力はやや小さくなるが、従来のような突起は設けられていないために、原稿Ｐの全域がコンタクトガラス３に隙間なく押圧されることとなる。したがって、原稿Ｐのカール部分や皺になっている部分も、コンタクトガラス３に密着させるだけの押圧力を得ることが可能であり、最適の画像を読み取ることが可能となる。
【００２９】
さらに、原稿圧板３１に対しては、平面略コの字状の比較的広い面積を有する外周側の接着領域Ｔ１において圧接シート部材３３が比較的強固に固定され、圧接シート部材３３の剥がれ落ちや弛みなどが良好に防止されるようになっている。
【００３０】
一方、上述した圧接シート部材３３は、平面略コの字状の接着領域Ｔ１を介して固着されていて、回動支軸３２側から中央領域にかけて固定がなされていないため、原稿押え手段３０を開放させるように持ち上げた際に、圧接シート部材３３の外周側、つまり平面略コの字状をなす接着領域Ｔ１で固着された部位が最初に持ち上げられていき、原稿押え手段３０の回動支軸３２側から中央領域にかけての領域には急激な持ち上げ力が働かなくなる。そして、圧接シート部材３３は、平面略コの字状をなす外周領域から中央領域に向かって図６中の格子模様で表された領域Ｔ１’のように、コンタクトガラス３面から順次引き剥がされていき、その剥がされた領域に空気が円滑に入っていくこととなる。その結果、従来のような突起を設けなくても、原稿押え手段３０の全体は良好に持ち上げられていく。
【００３１】
また、上述した第１の実施形態と同一の構成について同一の符号を付した図７にかかる第２の実施形態では、原稿押え手段３０の原稿圧板３１における内面側（裏面側）、つまり圧接シート部材３３の貼着面が略平旦面状をなすように形成されている。
【００３２】
そして、その原稿圧板３１における略平旦状の貼着面に対する前記圧接シート部材３３の接着領域Ｔ２が、前記原稿圧板３１の開放側（図示右方側）の一側縁部を一辺としてその両側に平面略コの字状に延出する面状領域から形成されていて、当該圧接シート部材３３の接着領域Ｔ２における平面略コの字状の開放側が、前記原稿圧板３１の奥側（図７の左端側）の回動支軸３２側に向けられた外周側連続面から構成されている。このような第２の実施形態においても、上述した第１の実施形態と略同様な作用・効果が得られる。
【００３３】
ここで、前記原稿圧板３１における貼着面を個性している平坦面状領域は、圧板内面の全面が平坦面となっていても良いし、略コの字状をなす領域のみが平坦面となっていても良い。また、その領域は、少なくとも両面テープの幅である２０ｍｍ程度あれば足りる。
【００３４】
次に、図８に示されている本発明の第３の実施形態３にかかる原稿押え手段４０では、圧接シート部材４２の接着領域Ｔ３が、複数箇所の点状領域（部分領域）から形成されていて、それら複数の点状接着領域Ｔ３が、上述した各実施形態と同様な平面略コの字状に添うように分散配置されている。このような第３の実施形態においても、上述した各実施形態と略同様な作用・効果が得られる。このような図８にかかる実施形態においても、原稿圧板４１における圧接シート部材４２の貼り付け面を平旦面状に形成することも可能である。
【００３５】
以上、本発明者によってなされた発明の実施形態を具体的に説明したが、本発明は上記実施形態に限定されるものではなく、その要旨を逸脱しない範囲で種々変形可能であることはいうまでもない。
【００３６】
例えば、上述した各実施形態は、複合型複写機における画像読取装置に本発明を適用したものであるが、本発明はそれに限定されることなく、その他の画像形成装置に対しても同様に適用することが可能である。
【産業上の利用可能性】
【００３７】
以上述べたように本発明にかかるファクシミリや複写機などをはじめとして多種多様な画像形成装置に対して広く適用することが可能である。
【図面の簡単な説明】
【００３８】
【図１】本発明を適用した画像形成装置の一例としての複合型複写機の全体構造を表した外観斜視説明図である。
【図２】図１に表された複合型複写機の内部構造を表した縦断面説明図である。
【図３】本発明の第１実施形態にかかる画像読取装置に使用されている原稿押え手段の構造を表した平面説明図である。
【図４】図３に表された原稿押え手段の構造を表した横断面説明図である。
【図５】図３および図４に表された原稿押え手段の圧接シート部材の構造を表した分解斜視説明図である。
【図６】原稿押え手段を持ち上げた際において圧接シート部材が剥がれていく状態を表した平面説明図である。
【図７】本発明の第２実施形態にかかる画像読取装置に使用されている原稿押え手段の構造を表した平面説明図である。
【図８】本発明の第３実施形態にかかる画像読取装置に使用されている原稿押え手段の構造を表した平面説明図である。
【図９】本発明を適用する画像読取装置の全体の概略構造を表した外観斜視説明図である。
【図１０】図９に表した画像読取装置の要部を表した縦断面説明図である。
【図１１】従来における画像読取装置に使用されている原稿押え手段の構造例を表した平面説明図である。
【図１２】従来における画像読取装置に使用されている原稿押え手段の他の構造例を表した平面説明図である。
【図１３】従来における画像読取装置に使用されている原稿押え手段のさらに他の構造例を表した平面説明図である。
【図１４】図１４に表された従来における画像読取装置の原稿押え手段の構造を示した横断面説明図である。
【図１５】図１５中の楕円状に囲まれたＸ部を拡大して表した横断面説明図である。
【図１６】原稿にカールや皺が発生している場合の状態における原稿押え手段を表した縦断面説明図である。
【符号の説明】
【００３９】
３  コンタクトガラス（原稿ガラス）
１０  装置本体
１０ａ  軸受部
１１  スキャナユニット（画像読取装置）
３０  原稿押え手段
３１  原稿圧板
３１ａ  格子状リブ
３２  回動支軸
３３  圧接シート部材
３３ａ  樹脂シート材
３３ｂ  弾性部材
Ｔ１  接着領域
Ｐ  原稿
Ｔ２  接着領域
４０  原稿押え手段
４１  原稿圧板
４２  圧接シート部材
４３  補強貼着部
Ｔ３  接着領域
【図１】
0004753747.tif 000002
【図２】
0004753747.tif 000003
【図３】
0004753747.tif 000004
【図４】
0004753747.tif 000005
【図５】
0004753747.tif 000006
【図６】
0004753747.tif 000007
【図７】
0004753747.tif 000008
【図８】
0004753747.tif 000009
【図９】
0004753747.tif 000010
【図１０】
0004753747.tif 000011
【図１１】
0004753747.tif 000012
【図１２】
0004753747.tif 000013
【図１３】
0004753747.tif 000014
【図１４】
0004753747.tif 000015
【図１５】
0004753747.tif 000016
【図１６】
0004753747.tif 000017